(57)【要約】      （修正有）【課題】トイレタンクの自動注水装置の提供。【解決手段】トイレタンク９に取付られたセンシングモジュール１、電磁弁モジュール２、及び注水モジュール３を具え、該電磁弁モジュールはトイレタンク外に設けられ並びに水栓８に接続され、センシングモジュールの信号制御により、内部の電磁弁スイッチが起動されて水を水栓より引き込み、管路３４を通して注水モジュールの液圧シリンダ３１に送り液圧を形成させて液圧アーム３５を駆動してスイングロッド３２を押し上げ、並びにスイングロッド末端のロープ３３が注水弁４を開放させ、タンク内の水を大量に便器に注入し、及び電磁弁が設定時間後に水の進入を停止させ、液圧シリンダ内のスプリングが液圧アームを駆動してスイングロッドを下向きに復帰させ、ロープを緩めて注水弁を閉じ並びにタンクに注水する。【選択図】図１
0003105728.tif 000002
【実用新案登録請求の範囲】
【請求項１】
トイレタンクの自動注水装置において、使用者の使用状態をセンシングし並びに制御信号を発射するセンシングモジュールと、該制御信号を受け取り液圧運転を行なう電磁弁モジュールと、該センシングモジュールの液圧制御を受けて注水を実行する注水モジュールとを具え、
該センシングモジュールは使用者を検出できるトイレタンク外の位置に取付られ、
該電磁弁モジュールはトイレタンク外に取付られ、電磁弁スイッチと信号受信器を具え、該電磁弁スイッチの入力端が水栓に接続され、
該注水モジュールはトイレタンク中に取付られ、立柱とその傍らの上端の液圧シリンダを具え、該液圧シリンダの上端にスイングロッドが設置され、該スイングロッドの末端にロープでトイレタンクの注水弁が接続され、液圧シリンダの底端が電磁弁スイッチの出力端に接続されたことを特徴とする、トイレタンクの自動注水装置。
【請求項２】
請求項１記載のトイレタンクの自動注水装置において、電磁弁スイッチの入力端に接続される水栓にトイレタンクの水栓が使用されることを特徴とする、トイレタンクの自動注水装置。
【請求項３】
請求項２記載のトイレタンクの自動注水装置において、電磁弁スイッチの入力端に接続される水栓が三方管により電磁弁スイッチとトイレタンクに接続され並びに水を導入することを特徴とする、トイレタンクの自動注水装置。
【請求項４】
請求項１記載のトイレタンクの自動注水装置において、電磁弁スイッチの入力端に接続される水栓がトイレタンクの水栓とは異なることを特徴とする、トイレタンクの自動注水装置。
【考案の詳細な説明】
【技術分野】
【０００１】
本考案は一種のトイレタンクの自動注水装置に係り、それはセンシング装置を利用し電磁弁を制御して水源を導入し、液圧を形成してトイレタンク中の注水モジュールを駆動し、これにより注水を行なう技術領域に属する。
【背景技術】
【０００２】
現代生活の水準の高まりにより、公共衛生及び伝染病の予防はことのほか重視されるようになった。例えば、公共場所や住居で使用されるトイレの注水の制御は接触フリーの光電センシングコントロール注水装置が徐々に採用されるようになり、使用者が便利で衛生的な使用環境を得られるようにしている。現在、市販されている各タイプのセンシング注水装置は、センサのほとんどがトイレタンクの外部位置、例えば便器前方の壁面或いは腰掛け式便器のタンク上方の壁面に取付られ、その信号線はタンク内部の注水制御装置に接続されている。注水制御装置は通常電動モータを利用してロープで接続された注水弁を駆動することで注水操作を行なう。このような自動注水装置はタンク中の注水制御装置、或いはセンサに接続された信号線であっても、多かれ少なかれタンクの湿気の影響を受け、故障を発生して正常操作不能となる現象が発生しやすく、また電動モータによる注水操作の形式はその電力消耗量が比較的大きい。
【考案の開示】
【考案が解決しようとする課題】
【０００３】
本考案の主要な目的は、周知のトイレのセンシング注水装置の多くがタンク内に取り付けられるために湿気により故障して正常操作不能となりやすい欠点を解決することにある。
【課題を解決するための手段】
【０００４】
請求項１の考案は、トイレタンクの自動注水装置において、使用者の使用状態をセンシングし並びに制御信号を発射するセンシングモジュールと、該制御信号を受け取り液圧運転を行なう電磁弁モジュールと、該センシングモジュールの液圧制御を受けて注水を実行する注水モジュールとを具え、
該センシングモジュールは使用者を検出できるトイレタンク外の位置に取付られ、
該電磁弁モジュールはトイレタンク外に取付られ、電磁弁スイッチと信号受信器を具え、該電磁弁スイッチの入力端が水栓に接続され、
該注水モジュールはトイレタンク中に取付られ、立柱とその傍らの上端の液圧シリンダを具え、該液圧シリンダの上端にスイングロッドが設置され、該スイングロッドの末端にロープでトイレタンクの注水弁が接続され、液圧シリンダの底端が電磁弁スイッチの出力端に接続されたことを特徴とする、トイレタンクの自動注水装置としている。
請求項２の考案は、請求項１記載のトイレタンクの自動注水装置において、電磁弁スイッチの入力端に接続される水栓にトイレタンクの水栓が使用されることを特徴とする、トイレタンクの自動注水装置としている。
請求項３の考案は、請求項２記載のトイレタンクの自動注水装置において、電磁弁スイッチの入力端に接続される水栓が三方管により電磁弁スイッチとトイレタンクに接続され並びに水を導入することを特徴とする、トイレタンクの自動注水装置としている。
請求項４の考案は、請求項１記載のトイレタンクの自動注水装置において、電磁弁スイッチの入力端に接続される水栓がトイレタンクの水栓とは異なることを特徴とする、トイレタンクの自動注水装置としている。
【考案の効果】
【０００５】
本考案のトイレタンクの自動注水装置は、周知のトイレのセンシング注水装置の多くがタンク内に取り付けられるために湿気により故障して正常操作不能となりやすい欠点を解決する。
【考案を実施するための最良の形態】
【０００６】
本考案の提供するトイレタンクの自動注水装置は、電気制御部分が全てタンク外部に設置され、液圧により注水駆動するセンシング自動注水装置の構造が、タンク外部に設けられたセンシングモジュールを具え、該センシングモジュールが使用者の使用状態をセンシングし並びに制御信号をタンク外部に取付られて水栓に接続された電磁弁モジュールに発射し、電磁弁スイッチを起動して水を水栓より導入し、管路でタンク内に送り電気設備の注水モジュールを具備せず、この注水モジュールの液圧シリンダ内に液圧を形成して液圧アームを駆動してスイングロッドを押し上げ、並びにスイングロッド末端のロープにより注水弁を駆動して開放し、タンク内の水を大量に便器中に注入する。
【０００７】
本考案の上述の構造は、電気制御部分のセンシングモジュール及び電磁弁がタンク外部に設けられ、完全に電気装置の湿気による故障の問題を排除できる。さらにタンクへの注水と同じ水源が液圧を形成して注水の制御を行なうため、伝統的な電動モータによる注水の電力消耗と故障しやすい欠点も解決できる。
【実施例１】
【０００８】
図１は本考案のトイレタンクの自動注水装置の具体的な実施構造を示す。それはセンシングモジュール１、電磁弁モジュール２、注水モジュール３を具えている。該センシングモジュール１は使用者の使用状態をセンシングし並びに制御信号を発射する。該電磁弁モジュール２は前述のセンシングモジュール１の発射した信号を受信して液圧の運転を実行する。該注水モジュール３は、タンク内に取付られて前述のセンシングモジュール１の液圧制御を受けて注水弁４の開閉を制御する。
【０００９】
センシングモジュール１は使用者を検出できる場所、例えば本考案の好ましい実施例によるとトイレタンク９の上方壁面に取付られ、それは光センシング素子を具えて使用者及びその使用の状態を検出でき、並びに検出した結果から注水の信号を発生して信号発射装置により電磁弁モジュール２に送る。
【００１０】
電磁弁モジュール２は図１に提示された具体的実施構造において、トイレタンク９の下方の位置に取り付けられ、それは完全にトイレタンクの湿った環境より離れた位置とされ、比較的低い故障率を保有して正常操作できる。電磁弁モジュール２の構造は、電磁弁スイッチ２１を具え、水栓８は三方管８１によりトイレタンクの入水器７及び電磁弁スイッチ２１の導入端に接続され、水栓８より送出される水は電磁弁モジュール２及び入水器７に提供される。
【００１１】
注水モジュール３は、図１に提示された具体的実施構造において、トイレタンク９中に取付られ、それは立柱３０上側辺に設けられた液圧シリンダ３１、立柱３０上端の可動スイングロッド３２、その末端にロープ３３を介して接続されて便器への注水を制御する注水制御弁４を具えている。該液圧シリンダ３１はまた管路３４を通して電磁弁モジュール２の出力端に接続され、電磁弁モジュール２の出力する液圧が液圧シリンダ３１に伝えられ、更に液圧シリンダ３１中で上下に往復運転する液圧アーム３５がスイングロッド３２を駆動し、それに上げ下げのてこ動作を行なわせ、最後にロープ３３を通して注水制御弁４に注水或いは遮蔽蓄水の動作を行なわせる。
【００１２】
前述の液圧シリンダ３１と電磁弁モジュール２の管路３４は、連結装置６によりトイレタンク９の内外を接続し、この連結装置６はトイレタンク９の底部の内、外側に嵌合された連結スリーブ６１、６２を具え、連結スリーブ６１、６２の間に更に水ブロック装置６３が設けられている。連結スリーブ６１、６２の両端はそれぞれ管路３４に接続され、電磁弁モジュール２の送出する水が液圧シリンダ３１に導入される。
【００１３】
本考案の具体的構造の操作と部品の運転状況については図１から図６を参照されたい。トイレタンク９の上方に取付られたセンシングモジュール１が使用者の使用を検出し並びに設定時間（例えば５秒間）を過ぎた時、図２に示されるように、トイレタンク９内が満水の状態であり、電磁弁モジュール２及び注水モジュール３がいずれも運転待機の状態にあるとする。続いて使用者がセンシングモジュール１のセンシングできるエリアから離れると、センシングモジュール１は注水と電磁弁スイッチ２１起動の制御信号を電磁弁モジュール２に発射し、これは図３に示されるとおりである。電磁弁モジュール２の信号受信器２２が前述の制御信号を受け取ると、電磁弁スイッチ２１を駆動して水を水栓８より導入し、並びに管路３４により水を注水モジュール３の液圧シリンダ３１内に導入し、水の発生する液圧により液圧アーム３５を駆動してスイングロッド３２を押し上げさせ、ロープ３３を介して注水制御弁４を開放させ、これによりトイレタンク９内の水が大量に便器内に注入され、これは図４に示されるとおりである。注水動作実行時に、電磁弁スイッチ２１は設定された時間後にオフされ、水を遮断して管路３４を通り液圧シリンダ３１に進入できないようにし、液圧の駆動が欠乏した状態で、液圧シリンダ３１中のバネ３６が弾力を釈放して液圧アーム３５を下向きに復帰させ、これに協動してスイングロッド３２も下向きに復帰してロープ３３が緩められ、図６に示されるように、注水制御弁４が再度閉じられて便器中への注水が停止される。フロート７１が水位の下降により入水器７をオンして入水弁よりタンク内に注水が行なわれ、次の注水操作に待機する。これは図５に示されるとおりである。
【００１４】
以上の実施例は本考案の請求範囲を限定するものではなく、本考案に基づきなしうる他の実施例はいずれも本考案の請求範囲に属するものとする。
【図面の簡単な説明】
【００１５】
【図１】本考案の具体的実施例の構造図である。
【図２】本考案の使用者が使用中の表示図である。
【図３】本考案の使用者が使用後に離れる表示図である。
【図４】本考案の実施例の注水運転状態の表示図である。
【図５】本考案の実施例の注水運転完成状態の表示図である。
【図６】本考案の実施例の注水モジュールの断面図である。
【符号の説明】
【００１６】
１  センシングモジュール                ２  電磁弁モジュール
３  注水モジュール                      ４  注水制御弁
６  連結装置                            ７  入水器
８  水栓                                ９  トイレタンク
２１  電磁弁スイッチ                    ２２  信号受信器
３０  立柱                              ３１  液圧シリンダ
３２  スイングロッド                    ３３  ロープ
３４  管路                              ３５  液圧アーム
３６  バネ                              ６１、６２  連結スリーブ
６３  水ブロック装置                    ８１  三方管
【図１】
0003105728.tif 000003
【図２】
0003105728.tif 000004
【図３】
0003105728.tif 000005
【図４】
0003105728.tif 000006
【図５】
0003105728.tif 000007
【図６】
0003105728.tif 000008